(57)【要約】【課題】水改質部材の交換が容易であり、構造が簡単で製造しやすい、飲料容器用のキャップ及び、このキャップを有する飲料容器を提供することを目的とする。【解決手段】水改質部材を飲料容器の中に配置するための飲料容器用のキャップであって、蓋部材と、クリップ部材とを備え、蓋部材は飲料容器の口に取り付けるものであり、クリップ部材は蓋部材の内側に配設し、水改質部材を係着脱自在に取り付けるものであることを特徴とする。【選択図】  図１
2007302260.tif 000002
【特許請求の範囲】
【請求項１】
水改質部材を飲料容器の中に配置するための飲料容器用のキャップであって、
蓋部材と、クリップ部材とを備え、
蓋部材は飲料容器の口に取り付けるものであり、
クリップ部材は蓋部材の内側に配設し、水改質部材を係着脱自在に取り付けるものであることを特徴とする飲料容器用のキャップ。
【請求項２】
クリップ部材は、挟持片を有し、挟持片で水改質部材の一端を係着脱自在に挟持するものであることを特徴とする請求項１記載の飲料容器用のキャップ。
【請求項３】
蓋部材は天板部と筒部とを有し、
天板部は筒部の一端を塞いでおり、
クリップ部材は、蓋部材の天板部内側に配設してあり、筒部の開口部から水改質部材の一端を挿抜して挟持片に係着脱するものであることを特徴とする請求項２記載の飲料容器用のキャップ。
【請求項４】
請求項１〜３のいずれかに記載の飲料容器用のキャップを有することを特徴とする飲料容器。
【発明の詳細な説明】
【技術分野】
【０００１】
本発明は、飲料容器用のキャップに関し、特にこのキャップに水改質部材を取り付けて飲料容器本体の口部にキャッピングすることで内容物の水改質ができるキャップ及び、このキャップを用いた飲料容器に係る。
【背景技術】
【０００２】
水道水等の飲料水にあっては、いわゆるカルキの臭いがしたり、まろやかさが不足していたりするために、浄水作用を有する活性炭素やセラミックスを飲料水に投入することで飲料水を改質することが提案されている。
また、改質材、改質剤の種類も浄水作用に限らず、水のクラスターを小さくしたり、マイナスイオンや活性水素を付与するものまで数多く提案されている。
【０００３】
このような水の改質部材（以下、改質材、改質剤等を総称して改質部材と称する。）はペレット状、ボール状、ステック状等の形状を有しているものの、いずれも飲料水に浸漬する必要があることからペットボトル等の飲料容器に投入することになる。
しかし、飲料容器に改質部材を直接投入すると、容器の底にたまり、飲料水を改質するための有効表面が減少したり、飲料水を注ぎ出す際に飲料容器の口からともに排出する不具合も生じやすい。
また、改質部材を取り替えたい場合には、飲料容器の底から取り出さなければならないが、ペットボトル等の飲料容器であっては、口が小さく、飲料容器の口を下方に傾けなければならないために、改質部材のみを取り出すことは困難であった。
【０００４】
特開平１１−７７０２６号公報には、吸着濾過剤の交換可能なキャップを開示するが、飲料容器についていたキャップを取り付ける雄ネジの他にボトル容器の口に適合する雌ネジを切ったキャップ部が必要であるだけでなく、浄水剤の保持手段を接続しなければならず部品点数が多く、構造も複雑であり、製造コストが高いものであった。
【０００５】
【特許文献１】特開平１１−７７０２６号公報
【発明の開示】
【発明が解決しようとする課題】
【０００６】
本発明は上記技術的課題に鑑みて、水改質部材の交換が容易であり、構造が簡単で製造しやすい、飲料容器用のキャップ及び、このキャップを有する飲料容器を提供することを目的とする。
【課題を解決するための手段】
【０００７】
本発明の技術的要旨は、水改質部材を飲料容器の中に配置するための飲料容器用のキャップであって、蓋部材と、クリップ部材とを備え、蓋部材は飲料容器の口に取り付けるものであり、クリップ部材は蓋部材の内側に配設し、水改質部材を係着脱自在に取り付けるものであることを特徴とする。
【０００８】
クリップ部材を蓋部材の内側に配設してあるとは蓋部材とクリップ部材とは一体的であっても別部材を接合してもよい趣旨である。
従って、市販のペットボトル等の飲料容器に取り付けてある市販の蓋部材に溶着や接着によりクリップ部材を後付けしてもよく、また、市販の飲料容器の口サイズに合致したクリップ部材付蓋部材を樹脂材料を用いて一体成形してもよい。
飲料容器の口に蓋部材を取り付けるとは、飲料容器の口部分に、口に被せるように螺合や嵌合や係着等により取り付けるもので、密閉性を有している限り、その取付け方法は限定されない。
【０００９】
クリップ部材は、水改質部材の一端をクリップ部材に係着した状態で、水改質部材を飲料容器の口から中に挿し入れて、キャップを飲料容器の口に取り付けることができるようになっている。
【００１０】
請求項２記載の発明の技術的要旨は、クリップ部材は、挟持片を有し、挟持片で水改質部材の一端を係着脱自在に挟持するものであることを特徴とする。
【００１１】
請求項３記載の発明の技術的要旨は、蓋部材は天板部と筒部とを有し、天板部は筒部の一端を塞いでおり、クリップ部材は、蓋部材の天板部内側に配設してあり、筒部の開口部から水改質部材の一端を挿抜して挟持片に係着脱するものであることを特徴とする。
また、請求項１〜３のいずれかに記載のキャップを用いた飲料容器は飲料水をこの飲料容器に収容するだけで飲料水の改質が出来る。
【発明の効果】
【００１２】
本発明に係る飲料容器用キャップにおいては、蓋部材に設けたクリップ部材に水改質部材の一端を挟持し、このキャップを飲料容器の口に取り付けるだけで飲料水にひたすことができ、容易に飲料水の改質ができ、非常に構造が簡単であり、製造コストが安い。
また、水改質部材の交換も容易である。
【発明を実施するための最良の形態】
【００１３】
本発明に係る飲料容器用キャップの実施例について、以下図面を用いて説明する。
図１（ａ）は、飲料容器用キャップ（以下キャップと称する）の実施例の斜視図を示し、図１（ｂ）は分解図を示す。
また、図３に水改質部材５０を保持したキャップ１０を飲料容器４０の口部４１に取り付けた状態の縦断面端面図を示す。
キャップ１０は蓋部材２０とクリップ部材３０とを備えて、蓋部材２０は筒形の筒部２２と、筒部２２の一端を塞ぐように設けた天板部２１を有し、筒部２２の内周面に雌ねじ部２２ａを形成してある。
蓋部材２０は、雌ねじ部２２ａをペットボトル等の市販の飲料容器４０の口部４１に設けてある雄ねじ部４２に螺合し、飲料容器４０の口４１ａを塞ぐように取り付けることができる。
クリップ部材３０は、弾性挟持部３２とクリップベース３１とを有していて、弾性挟持部３２は略筒形よりなり、その穴部分を挿入凹部３４としてあり、フランジベース３１は弾性挟持部３２の一端にフランジ形に設けてある。
クリップベース３１は弾性挟持部３２との連結側との反対側に連結面３１ａを有している。
弾性挟持部３２の挿入凹部３４は、開口方向がクリップベース３１の連結面３１ａと垂直となるように形成してある。
弾性挟持部３２は、クリップベース３１を連結した側と反対側の端部を、クリップベース３１の連結面３１ａと垂直方向に切込み３２ａで切り込んで、切込み３２ａの間にそれぞれ挟持片３３を形成している。
この挟持片３３は、挿入凹部３４を中心に囲む同心円状に配設してあり、先端に挿入凹部３４側に突出させた爪３３ａを設けて、それぞれ挿入凹部３４の径方向に弾性変形可能に形成してある。
クリップ部材３０は連結面３１ａを、蓋部材２０の天板部２１の筒部２２側の内側面２１ａに熱融着させて、挿入凹部３４の開口方向がこの天板部内側面２１ａと垂直となり、筒部２２の開口方向と略平行となるように蓋部材２０と連結してある。
クリップ部材３０の連結面３１ａと、蓋部材２０の天板部内側面２１ａとの連結は融着に限定されるものでは無く、例えばクリップ部材３０と蓋部材２０とを一体で成形するものや、クリップ部材３０と蓋部材２０とを螺合させたり、嵌合させるもの等でも良い。
【００１４】
図２は、水改質部材をキャップに取り付けて、水を入れた市販のペットボトル等の飲料容器の口に取り付けて、飲料容器の中の水に水改質部材を浸して改質する手順の説明図を示す。
水改質部材５０は、例えば図２（ａ）に示すように活性炭素等の水改質材料を略スティック形に形成したものを用いるとよい。
水改質部材５０は、水に浸すことで例えば吸着、中和、ミネラル溶出、カルキ除去、殺菌作用等で改質するものであればその材質は限定されるものではなく、活性炭素の他に、例えば炭、セラミックス、磁性材、トルマリン、麦飯石や貝殻等といった、人工あるいは天然の改質材料を、スティック形に製造したものを用いたり、あるいはスティック形のケース内に収納したものを用いてもよい。
また、改質する水も必ずしも飲料用の水に限定されるものではなく、例えば化粧用の水であったり、あるいは水以外の飲料等であっても良い。
水改質部材５０は略スティック形の一端を被挟持部５１として、被挟持部５１に係止溝５１ａを有するものを用いると良い。
水改質部材５０は一端の被挟持部５１を、図１に示す挟持片３３を拡径方向に弾性変形させ挿入凹部３４へと挿し込み、弾性復元力で爪３３ａを係止溝５１ａに係止させることで、図２（ｂ）に示すように簡単にクリップ部材３０に装着出来るようにしてある。
一方、水改質部材５０のクリップ部材３０からの取り外しは、キャップ１０の筒部２２と、水改質部材５０の側面部５２とを持って、被挟持部５１を挿入凹部３４から開口方向に引き、図１に示す挟持片３３を拡げるように弾性変形させることで爪３３ａを係止溝５１ａから簡単に外すことが出来る。
クリップ部材３０による水改質部材の保持構造は、略スティック形の水改質部材の一端を挿入凹部３４に挿入して弾性力で保持する構造であれば限定されない。
【００１５】
水改質部材５０を挿入凹部３４に装着したキャップ１０は図２（ｃ）に示すように、水改質部材５０のキャップ１０に取り付けた反対側から飲料容器４０の口部４１の口４１ａに挿し入れる。
そしてキャップ１０の雌ねじ部２２ａを、飲料容器４０の口部４１の雄ねじ部４２と螺合させて、図２（ｄ）に示すように水改質部材５０を飲料容器４０の中に入れた水１に浸しつつ、飲料容器４０の口４１を塞いで取り付ける。
飲料容器４０は、ペットボトル等の市販の飲料容器を用いるものでなくても、キャップ１０とセットとなっている専用容器としても良い。
図２（ｄ）に示すように、水改質部材５０を浸漬して飲料容器４０の中に収納した水１は、水改質部材５０の水改質作用により所望の状態に改質される。
キャップ１０と飲料容器４０と水改質部材５０の洗浄は、飲料容器４０からキャップ１０を取り外して、水改質部材５０をキャップ１０のクリップ部材３０から取り外して行い、特にキャップ１０の洗浄は、キャップ１０が図１に示すように非常にシンプルな構造であり、クリップ部材３０が非常に小さく、筒部２２の雌ねじ部２２ａとの間が充分広いため簡単に行える。
この水改質部材５０のキャップ１０に対する係着脱操作は簡単に行えるため、水改質部材５０は、繰り返し使用して水改質作用が減じたら、新しい水改質部材と簡単に交換出来る。
また、キャップの飲料容器本体への取付構造は、ネジ構造に限定する必要がなく、嵌合式でもよい。
【図面の簡単な説明】
【００１６】
【図１】（ａ）は本発明に係る飲料容器用のキャップの実施例の斜視図を示し、（ｂ）は分解図を示す。
【図２】本発明に係る飲料容器用のキャップを用いて、水の改質を行う手順の説明図を示す。
【図３】水改質部材を係着したキャップを飲料容器に取り付けた状態の縦断面端面図を示す。
【符号の説明】
【００１７】
１      水
１０    飲料容器用キャップ
２０    蓋部材
２１    天板部
２１ａ  内側面
２２    筒部
２２ａ  雌ねじ部
３０    クリップ部材
３１    クリップベース
３１ａ  連結面
３２    弾性挟持部
３２ａ  切込み
３３    挟持片
３３ａ  爪
３４    挿入凹部
４０    飲料容器
４１    飲料容器口部
４１ａ  飲料容器口
４２    雄ねじ部
５０    水改質部材
５１    被挟持部
５１ａ  係止溝
５２    側面部
【図１】
2007302260.tif 000003
【図２】
2007302260.tif 000004
【図３】
2007302260.tif 000005